(57)【要約】【課題】可視光を外部に出射させ、目視確認して光ファイバ芯線を特定できる光ファイバ芯線特定用工具および光ファイバ芯線特定方法を提供する。【解決手段】光ファイバ芯線特定用工具を用いて、光ファイバ芯線１１を遮光空間に配置し、光ファイバ芯線１１を、光通信に用いられる通信光が外部に出射されることなく、かつ通信光よりも波長が短い可視光が外部に出射される曲率半径で湾曲させる。この湾曲状態を、作業者は、確認窓を介して確認することによって、可視光が入射されている光ファイバ芯線１１を特定することができる。【選択図】      図１
2004240296.tif 000002
【特許請求の範囲】
【請求項１】
可視光を透過可能な確認窓が形成され、確認窓が閉塞されることによって可視光が遮光される遮光空間が形成され、光ファイバ芯線を遮光空間に湾曲状態で挿通させて保持する保持体を含むことを特徴とする光ファイバ芯線特定用工具。
【請求項２】
保持体は、光通信に用いられる通信光が外部に出射されることなく、かつ通信光よりも波長が短い可視光が外部に出射される曲率半径で湾曲させて、光ファイバ芯線を保持することを特徴とする請求項１記載の光ファイバ芯線特定用工具。
【請求項３】
保持体は、
相互に当接および離反可能に設けられる２つの挟持片を有し、各挟持片は、相互に当接する状態で、環状の当接領域で遮光状態に当接し、これら挟持片間に光ファイバ芯線を配置することによって、前記当接領域のうちの２カ所で光ファイバ芯線を挟持可能であり、
一方の挟持片には、光ファイバ芯線の挟持される部位である被挟持部位間の中間部位を、各被挟持部位を通る直線からずれた位置に案内する案内片が形成され、
他方の挟持片には、光ファイバ芯線の前記被挟持部位間の中間部に臨む確認窓が形成されることを特徴とする請求項１または２記載の光ファイバ芯線特定用工具。
【請求項４】
可視光を遮光可能な筒状に形成され、一端部が保持体に遮光状態で連結され、他端部から確認窓を介して遮光空間を確認可能な遮光筒体をさらに含むことを特徴とする請求項１〜３のいずれかに記載の光ファイバ芯線特定用工具。
【請求項５】
予め定める基準位置から予め定める光ファイバ芯線に可視光を入射し、
前記基準位置とは異なる位置において、光ファイバ芯線を、遮光空間に配置して、光通信に用いられる通信光が外部に出射することなく、かつ前記可視光が外部に出射する曲率半径で湾曲させて、目視確認することを特徴とする光ファイバ芯線特定方法。
【発明の詳細な説明】
【０００１】
【発明の属する技術分野】
本発明は、光が入射されている光ファイバ芯線を破断せずに外部に光を出射させ、光ファイバ芯線を特定する光ファイバ芯線特定用工具および光ファイバ芯線特定方法に関する。
【０００２】
【従来の技術】
図３８は、従来の技術の光ファイバ芯線特定用工具１を示す斜視図である。従来の技術の光ファイバ芯線特定用工具１は、光ファイバ芯線２の中途部で光ファイバ芯線２を湾曲状態に保持できるように構成されている。光ファイバ芯線２は、一端部から予め光通信に用いられる通信光が入射される。光ファイバ芯線２の中途部を湾曲状態にして、通信光を外部に出射させる。出射した通信光を、光検出器３を用いて検出し、出射した通信光に対応する光ファイバ芯線２を特定している（たとえば、特許文献１参照）。
【０００３】
【特許文献１】
特開昭６０−２４４９０７号公報
【０００４】
【発明が解決しようとする課題】
従来の技術の光ファイバ芯線特定用工具１は、通信光を用いて光ファイバ芯線２を特定していた。通信光は可視光ではないので、光ファイバ芯線特定用工具１は、外部に出射する通信光を検出する光検出器３が必要であり、構造が複雑であった。従来の技術の光ファイバ特定用工具１は、光ファイバ芯線２に入射させた可視光を外部に出射させ、目視確認して光ファイバ芯線２を特定するように構成されておらず不便であった。
【０００５】
したがって本発明の目的は、可視光を外部に出射させ、目視確認して光ファイバ芯線を特定できる光ファイバ芯線特定用工具および光ファイバ芯線特定方法を提供することである。
【０００６】
【課題を解決するための手段】
本発明は、可視光を透過可能な確認窓が形成され、確認窓が閉塞されることによって可視光が遮光される遮光空間が形成され、光ファイバ芯線を遮光空間に湾曲状態で挿通させて保持する保持体を含むことを特徴とする光ファイバ芯線特定用工具である。
【０００７】
本発明に従えば、保持体は、光ファイバ芯線を遮光空間に湾曲状態で挿通して保持する。湾曲状態に保持している光ファイバ芯線に、可視光を入射すると、可視光は外部に出射される。したがって作業者は確認窓を介して可視光の出射状態を確認することができる。また複数の光ファイバ芯線に、予め定める基準位置から可視光を入射し、基準位置とは異なる作業位置において、複数の光ファイバ芯線を順次、湾曲して保持することによって、入射された可視光に対応する光ファイバ芯線を作業位置で特定することができる。したがって光ファイバ芯線特定用工具は、可視光が入射される光ファイバ芯線を、光検出器などの電子部品を用いることなく、簡単な構成で実現することができる。
【０００８】
また本発明は、保持体は、光通信に用いられる通信光が外部に出射されることなく、かつ通信光よりも波長が短い可視光が外部に出射される曲率半径で湾曲させて、光ファイバ芯線を保持することを特徴とする。
【０００９】
本発明に従えば、保持体は、通信光が外部に出射されることなく、かつ可視光が外部に出射される曲率半径で湾曲させて、光ファイバ芯線を保持する。したがって光ファイバ芯線特定用工具を用いて、通信光が入射されている光ファイバ芯線を湾曲させても、通信光が外部に出射されないので、通信に障害を与えることがない。したがって複数の光ファイバ芯線のうち少なくともいずれか１本に通信光が入射されている場合であっても、通信に障害を与えることなく、順次湾曲させて、可視光が入射されている光ファイバ芯線を特定することができる。
【００１０】
また本発明は、保持体は、
相互に当接および離反可能に設けられる２つの挟持片を有し、各挟持片は、相互に当接する状態で、環状の当接領域で遮光状態に当接し、これら挟持片間に光ファイバ芯線を配置することによって、前記当接領域のうちの２カ所で光ファイバ芯線を挟持可能であり、
一方の挟持片には、光ファイバ芯線の挟持される部位である被挟持部位間の中間部位を、各被挟持部位を通る直線からずれた位置に案内する案内片が形成され、
他方の挟持片には、光ファイバ芯線の前記被挟持部位間の中間部に臨む確認窓が形成されることを特徴とする。
【００１１】
本発明に従えば、保持体は、２つの狭持片を有し、この狭持片間に光ファイバ芯線が狭持可能である。各狭持片が、環状の当接領域で相互に当接した状態で、確認窓が閉塞されることによって遮光空間が形成される。また一方の狭持片には、被狭持部位間の中間部位を、各被狭持部位を通る直線からずれた位置に案内する案内手段が形成される。これによって、被狭持部位間に光ファイバ芯線を配置し、各狭持片によって光ファイバ芯線を狭持することによって、光ファイバ芯線を湾曲状態に保持することができる。また他方の狭持片は、光ファイバ芯線の前記被狭持部位間の中間部を臨む確認窓が形成されるので、前記案内手段によって湾曲状態にある光ファイバ芯線を確認窓から確認するこができる。これによって作業者は、容易な操作で可視光が入射される光ファイバ芯線を特定することができる。
【００１２】
また本発明は、可視光を遮光可能な筒状に形成され、一端部が保持体に遮光状態で連結され、他端部から確認窓を介して遮光空間を確認可能な遮光筒体をさらに含むことを特徴とする。
【００１３】
本発明に従えば、遮光筒体は、可視光を遮光可能な筒状に形成され、一端部が保持体に遮光状態で連結される。このような遮光筒体が連結されるので、保持体によって形成される遮光空間に、遮光筒体の両端部が閉塞されることによって形成される遮光空間を連結し、光ファイバ芯線特定用保持具に形成される遮光空間を広げることができる。遮光筒体の他端部は、確認窓を介して遮光空間を確認可能である。したがって保持体が光ファイバ芯線を保持する位置から、少なくとも遮光筒体の軸線寸法離れている位置で、光ファイバ芯線を確認することできる。これによって湾曲状態に保持されている光ファイバ芯線に、作業者が容易に焦点を合わすことができる距離を、遮光して確保することができる。したがって利便性を向上することができる。
【００１４】
また本発明は、予め定める基準位置から予め定める光ファイバ芯線に可視光を入射し、
前記基準位置とは異なる位置において、光ファイバ芯線を、遮光空間に配置して、光通信に用いられる通信光が外部に出射することなく、かつ前記可視光が外部に出射する曲率半径で湾曲させて、目視確認することを特徴とする光ファイバ芯線特定方法である。
【００１５】
本発明に従えば、光ファイバ芯線は、通信光が外部に出射することなく、かつ基準位置から入射される可視光が外部に出射する曲率半径で、基準位置とは異なる位置において湾曲させる。これによって可視光が入射されている光ファイバ芯線を特定する場合に、誤って通信光が入射されている光ファイバ芯線を湾曲させても、通信光が外部に出射されないので、通信に障害を与えることがない。また入射される可視光が外部に出射するので、湾曲している光ファイバ芯線を遮光空間に配置し、目視確認することによって、可視光が入射されている光ファイバ芯線を、特定することができる。したがって容易に可視光が入射されている光ファイバ芯線を特定することができる。
【００１６】
【発明の実施の形態】
図１は、本発明の実施の一形態の光ファイバ芯線特定用工具１０に、光ファイバ芯線１１が保持されている状態で示す断面図である。図２は、光ファイバ芯線特定用工具１０を示す正面図であり、図３は、光ファイバ芯線特定用工具１０を示す側面図である。図４は、光ファイバ芯線特定用工具１０を分解して示す正面図であり、図５は光ファイバ芯線特定用工具１０を分解して示す側面図である。図２および図３は、理解を容易にするため、遮光体１２の厚み寸法を省略して示す。光ファイバ芯線特定用工具１０は、可視光が入射されている光ファイバ芯線１１を特定するための工具であって、保持体１３、遮光筒体１４、ばね部材１５、軸部材１６、および遮光体１２を含んで構成される。
【００１７】
保持体１３は、２つの狭持片１８，１９である第１狭持片１８および第２狭持片１９を含んで構成される。第１狭持片１８は、長手状の部材である。第２狭持片１９は、長手方向に関して断面形状が略Ｌ字状の部材である。各狭持片１８，１９は、長手方向中間部付近で角変位軸線Ｌ１６まわりに相互に角変位自在に連結される。これら各狭持辺１８，１９は、相対的に角変位するように構成される。各狭持片１８，１９の長手方向一端部が相互に当接すると、長手方向他端部は相互に離反し、逆に長手方向一端部が相互に離反すると、長手方向他端部は相互に当接するように構成される。各狭持片１８，１９の長手方向一端部は、相互に当接する状態で、環状の当接領域で遮光状態に当接し、これら狭持片間に光ファイバ芯線１１を配置することによって、当接領域のうちの２カ所で光ファイバ芯線１１を狭持可能である。
【００１８】
光ファイバ芯線１１は、コアがクラッドに覆われて形成される。複数本の光ファイバ芯線１１が、束ねられテープ線が形成される。本実施の形態では、光ファイバ芯線１１が１本である単芯線、４本の光ファイバ芯線１１を有する４芯テープ線および、４芯テープ線が２つ並べられて形成される８芯テープ線が用いられる。本実施の形態では、光ファイバ芯線特定用工具１０は、このような光ファイバ芯線１１を、その厚み方向両側から各挟持片１によって挟持し、光ファイバ芯線１１を湾曲状態で遮光空間に保持し、可視光が入射されている光ファイバ芯線１１を特定するために用いられる。入射される可視光の光源として、たとえば可視光を発するレーザダイオード光源が用いられ、具体的には波長が約６５０ｎｍであって赤色の可視光を発するレーザダイオード光源が用いられる。
【００１９】
図６は、案内部２０を拡大して示す平面図であり、図７は、案内部２０の一端部をさらに拡大して示す正面図である。図８は、把持部２１を拡大して示す底面図である。図１〜５も併せて参照して、第１狭持片１８は、案内部２０、把持部２１および固定ねじ部材２２を含み、これらが組立てられて構成される。案内部２０は、たとえばポリアセタールなどの合成樹脂から成り、案内部本体２３と案内片２４とを有する。案内部本体２３は、大略的に長尺長方形板状の部材である。案内部本体２３の長手方向一端部における厚み方向一方側の表面部に、厚み方向一方に突出する案内片２４が形成される。第１狭持片１８は、長手方向他端部における厚み方向一方側の表面部に係合凹所２５が形成され、この長手方向他端部が残余の部分に比べ薄肉に形成されている。さらにこの薄肉に形成される長手方向他端部には、厚み方向に貫通し、内ねじが刻設される案内部止めねじ孔２６が形成される。また第１狭持片１８は、長手方向一端部における厚み方向他方側の表面部に挿入凹所２７が形成され、この長手方向一端部が残余の部分に比べ薄肉に形成されている。これによって複数の光ファイバ芯線１１が束ねられている場合、各光ファイバ芯線１１間に第１狭持片１８の長手方向一端部を挿入しやすいので、所望の光ファイバ芯線１１を第１狭持片１８の長手方向一端部に容易に配置することができる。
【００２０】
案内片２４は、光ファイバ芯線１１が狭持される部位である被狭持部位間の中間部位を、各被狭持部位を通る直線からずれた位置に案内する。案内片２４は、具体的には、幅方向両端部を裾野部２４ａとし、裾野部２４ａは案内部本体２３と滑らかに連なっている。案内片２４は、裾野部２４ａに挟まれて厚み方向一方に突出する頭頂部２４ｂが形成される。裾野部２４ａは、案内部本体２３に向かって滑らかに凸なるような曲率に形成される。頭頂部２４ｂは、厚み方向一方に滑らかに凸となるような曲率に形成される。案内片２４の表面は、案内部本体２３の厚み方向一端面と、略Ｓ字状に滑らかに連なって形成される。案内片２４の幅方向表面部は、厚み方向他方に凹となる保持凹所２８が形成される。光ファイバ芯線１１を保持凹所２８の幅方向全域にわたって当接することによって、光ファイバ芯線１１は不所望にたわむことなく均一に湾曲される。また保持凹所２８によって、光ファイバ芯線１１を容易に配置することができ、かつ光ファイバ芯線１１を好適な位置で狭持することができる。
【００２１】
案内片２４は、光通信に用いられる通信光が外部に出射されることなく、かつ通信光よりも波長が短い可視光が外部に出射される曲率半径で、光ファイバ芯線１１を湾曲可能である。具体的には、通信光の線路損失が、通信に与える影響を無視できる値である３ｄＢ以下であり、かつ外部に可視光が出射される曲率半径に、案内片２４によって光ファイバ芯線１１は湾曲される。
【００２２】
具体的な案内片２４の幅方向の頭頂部２４ｂを含むの断面形状（以下、単に「案内片の断面形状」ということがある）の寸法の一例を表１に示す。表２に、表１の各案内片２４によって単芯線を湾曲させ、一端から通信光を入射したときの線路損失のデータを示す。通信光は、湾曲させることによって生じる線路損失が大きくなりやすい通信光を用い、具体的には波長が約１．５５μｍの通信光を用いる。線路損失のデータとして、実験回数毎の線路損失、その平均値、最大値、最小値および最大値と最小値の差である変域を示す。表３に、表２と同様に４芯テープ線の線路損失を示し、表４に８芯テープ線の線路損失を示す。表５に、表２〜４の線路損失を整理して示す。
【００２３】
【表１】
2004240296.tif 000003
【００２４】
【表２】
2004240296.tif 000004
【００２５】
【表３】
2004240296.tif 000005
【００２６】
【表４】
2004240296.tif 000006
【００２７】
【表５】
2004240296.tif 000007
【００２８】
表１に示すように、案内片２４の断面形状が１６種類あり、案内部本体２３から頭頂部２４ｂまでの厚み方向寸法である突出長さｈ１、頭頂部の曲率半径Ｒ１および裾野部２４ａの曲率半径Ｒ２を変えている。種類１は、ｈ１は４．５ｍｍであり、Ｒ１は６ｍｍであり、Ｒ２は５．５ｍｍである。種類２〜６まで、順次、種類１のｈ１を０．５ｍｍ間隔で大きくしている。種類７〜１１まで、順次、種類６のＲ１を０．１ｍｍ間隔で小さくしている。種類１２〜１６まで、順次、種類１１のＲ１を０．５ｍｍ間隔で小さくし、種類１１のＲ２を０．５ｍｍ間隔で大きくしている。
【００２９】
表２〜表５に示すように、案内片２４の種類によって線路損失が異なり、また光ファイバ芯線１１の数によって曲げ強度が異なるので、単芯線、４芯テープ線および８芯テープ線は相互に線路損失が異なる。ここで好適な案内片２４の種類は、光通信への影響が無視できる線路損失の種類が選ばれ、たとえば線路損失の最大値が３ｄＢ以下であり、かつ変域が１ｄＢ以下の種類が選択される。したがって、単芯線に関しては、前述の条件に従って、安全側に検討するため、種類８が選ばれる。４芯テープ線に関しては、単芯線と同様に、安全側に検討するため、種類１１が選ばれる。８芯テープ線に関しては、全種類で条件を満足するので、４芯テープ線と同じ種類１１が選ばれる。
【００３０】
把持部２１は、たとえばポリアセタールなどの合成樹脂から成り、大略的に長尺長方形板状の把持部本体２９と、把持部本体２９における幅方向両側部から厚み方向一方に突出する２つの壁体３０とを有する。また把持部本体２９には、厚み方向に貫通し、内ねじが刻設される把持部止めねじ孔３１が形成される。壁体３０は、把持部本体２９の厚み方向に貫通する第１軸孔３２が形成される。
【００３１】
把持部２１は、案内部２０の長手方向他端部に、厚み方向一方側から着脱自在に装着される。具体的には、把持部２１は、壁体３０を案内部本体２３側に配置して、保持凹部１に嵌合される。把持部止めねじ孔３１に、外ねじが刻設される固定ねじ部材２２を厚み方向一方側に挿通し、その固定ねじ部材２２を、頭部が案内部２０に係止される状態で案内部止めねじ孔２６を利用して、案内部２０に螺着し、把持部２１が案内部２０に固定される。把持部止めねじ孔３１および案内部止めねじ孔２６は、各部２１，２０の長手方向に沿って複数、本実施の形態では２カ所形成され、把持部２１の案内部２０に対する固定ねじ部材２２まわりの角変位が阻止される。
【００３２】
図９は、遮光筒体１４、第２狭持片１９および遮光体１２を拡大して示す断面図であり、図１０は、遮光筒体１４および第２狭持片１９を拡大して示す平面図である。図１１は、遮光体１２示す平面図である。図１〜５も併せて参照して、遮光筒体１４および第２狭持片１９は、一体となって形成される。第２狭持片１９は、たとえばポリアセタールなどの合成樹脂から成り、長手方向に関して断面形状が略Ｌ字状の部材であって、遮光部３３、当接部３４および押圧部３５を含んで構成される。遮光部３３は、略円筒状であって、遮光部３３の軸線方向他端部に、可視光を透孔可能な確認窓３７が形成される。
【００３３】
当接部３４は、略正方形板状であって、厚み方向に貫通する貫通孔３６が形成される。貫通孔３６は、略円錐台上であって、厚み方向一端部から厚み方向他端部に向かって拡径するようにテーパ状に形成される。厚み方向他端面部は、第１狭持辺１８の案内片２４の周囲の案内部本体２３の表面部に、環状の当接領域で遮光状態に当接可能である。当接部３４の厚み方向一端面部における貫通孔３６の内径は、遮光部３３の軸線方向一端部の内径と等しく形成される。当接部３４および遮光部３３の軸線が同軸の状態で、遮光部３３の軸線方向一端面部は当接部３４の厚み方向一端面部に遮光状態で当接して、一体に形成される。これによって当接部３４と案内部２０とを当接した状態で、遮光部３３の軸線方向他端部である確認窓３７は被狭持部位間の中間部に臨む位置にあり、確認窓３７が閉塞されることによって、遮光空間が形成される。
【００３４】
押圧部３５は、大略的に長尺長方形板状であって、長手方向中間部に幅方向に貫通する第２軸孔３８が形成される。押圧部３５は、厚み方向一方側の表面部に厚み方向一方に開放するばね嵌合凹所３９が形成される。押圧部３５の長手方向一端面部は、押圧部３５の厚み方向両端面部が、当接部３４の一側面部に対して傾いた状態で、当接部３４の一側面部に当接し、一体となって形成される。
【００３５】
遮光筒体１４は、たとえばポリアセタールなどの合成樹脂から成り、可視光を遮光可能な略円筒状に形成される。遮光部３３の厚み寸法は一定であって、軸線方向一端部から軸線方向他端部に向かって拡径するようにテーパ状に形成される。遮光筒体１４の軸線方向一端部の内径は、遮光部３３の内径と等しく形成される。遮光筒体１４および遮光部３３の軸線が同軸の状態で、遮光筒体１４の軸線方向一端面部は、遮光部３３の軸線方向他端面部に遮光状態で連結して、一体に形成される。遮光筒体１４はテーパ状に形成されるので、操作者が軸線方向他端部から目視することによって、軸線方向一端部を容易に確認することができる。
【００３６】
遮光体１２は、略正方形板状であって、厚み方向に円柱状に貫通する遮光体孔４０が形成される。遮光体１２は、各狭持片１８，１９の長手方向一端部が相互に当接し、光ファイバ芯線１１を狭持している状態で、当接領域で遮光状態に当接し、かつ光ファイバ芯線１１を弾発的に狭持するような材料が選択される。遮光体１２は、たとえばスポンジゴムから成り、具体的にはエチレンプロピレン（略称：ＥＰＤＭ）ゴム発砲体およびエプトシーラー（登録商標）などから成る。遮光体孔４０の内径は、遮光部３３の軸線方向他端面部の貫通孔３６の内径と等しく形成される。遮光体１２および当接部３４の軸線が同軸の状態で、遮光体１２の厚み方向一端面部と、当接部３４の軸線方向他端面部と当接して、接着剤を介して機械的に接続する。遮光体１２によって、容易に遮光空間が形成される。
【００３７】
各狭持片１８，１９は、第１狭持片１８の案内片２４が、第２狭持片１９の当接部３４の貫通孔３６に挿入するように、さらに把持部２１の厚み方向一端面部と、押圧部３５の厚み方向一端面部とが、相互に対向するように配置される。このように配置された状態で、軸部材１６が、その軸線を、各狭持片に各軸孔３２，３８の軸線と一致させて、各軸孔３２，３８に共通に挿通されて設けられ、この軸部材１６によって、各狭持片が、軸部材１６の軸線と一致する角変位軸線Ｌ１６まわりに角変位自在に連結される。
【００３８】
軸部材１６は、円筒状の部材であって、内ねじが刻設されるとともに、軸線方向一端部には外向きフランジ部１６ａが形成されている。この軸部材１６には、外ねじが刻設される軸止めねじ部材１７が螺着され、軸部材１６の外向きフランジ部１６ａと、軸止めねじ部材１７の頭部とによって、第１挟持片１８の壁体３０を一緒に挟持している。これによって軸部材１６が抜止めされるとともに、各狭持片１８，１９の不所望な変位を防止して、各挟持片１８，１９が、角変位軸線Ｌ１６まわりに円滑に角変位するようにできる。
【００３９】
ばね部材１５は、第１狭持片１８の長手方向一端部に第２狭持片１９の当接部３４の厚み方向他端面部が当接する押圧力、具体的には、ばね力を発生させる押圧力発生手段であって、本実施の形態では、たとえばねじりコイルばねによって実現される。このばね部材１５は、第２挟持片１９の押圧部３５に形成されるばね嵌合凹所３９に嵌まり込み、軸部材１６が挿通した状態で設けられる。この状態で、ばね部材１５の両端部が各挟持片１８，１９に弾発的に当接され、各挟持片１８，１９に、離反するばね力が与えられる。
【００４０】
光ファイバ芯線特定用工具１０は、操作者によって操作力が与えられていない状態では、ばね部材１５のばね力によって、第１狭持片１８の長手方向一端部に第２狭持片１９の当接部３４の厚み方向他端面部が当接している状態（以下、単に「当接状態」ということがある）にある。この当接状態から、ばね力よりも大きな操作力を与えて、第１狭持片１８の把持部２１の厚み方向一端面部が、第２狭持片１９の押圧部３５の厚み方向一端面部に当接するように角変位軸線Ｌ１６まわりに角変位させる。これによって当接状態から、第１狭持片１８の長手方向一端部と、第２狭持片１９の当接部３４の厚み方向他端面部が離反している状態（以下、単に「離反状態」ということがある）にすることができる。この離反状態から、操作力を解除すると、ばね部材１５のばね力によって、各挟持片１８，１９が角変位軸線Ｌ１６まわり角変位され、当接状態になる。ばね部材１５のばね力は、当接状態で光ファイバ芯線１１を狭持しているときに、光ファイバ芯線１１を不所望に変形させないように、かつ当接領域が遮光状態で当接されるように選択される。
【００４１】
光ファイバ芯線特定用工具１０の寸法は、一例を挙げると、第１狭持片１８の把持部２１の長手方向の長さ寸法Ｌ１が約１０５ｍｍであり、長手方向他端部の幅寸法Ｗ１が２５ｍｍである。第１狭持片１８の案内部本体２３の長手方向の長さ寸法Ｌ２が約６６ｍｍである。遮光筒体１４の軸線方向の長さ寸法Ｌ３は、約５５ｍｍであり、軸線方向一端部の内径Ｄ１が約１０ｍｍであり、軸線方向他端部の内径Ｄ２が約２０ｍｍである。第２狭持片１９の当接部３４の厚み寸法Ｔ１が約５ｍｍであり、軸線方向一端部の内径Ｄ３が約２０ｍｍである。前記寸法は、一例であり、これに限定されることはないが、第１狭持片１８の把持部２１および第２狭持片の押圧部３５の寸法は、作業者が片手で容易に作業可能な寸法に形成される。また遮光筒体の長さ寸法Ｌ３および内径Ｄ１は、光ファイバ芯線１１から可視光が出射しているか否かを容易に確認できる寸法に形成される。
【００４２】
光ファイバ芯線特定用工具１０は、少なくとも遮光空間を形成する部材は、可視光を吸収しやすく、乱反射しにくい色が選択され、たとえば黒色が選択される。これによって、操作者は光ファイバ芯線１１から可視光が外部に出射するのを容易に確認することができる。
【００４３】
本実施の形態では、保持体１３は、光ファイバ芯線１１を遮光空間に湾曲状態で挿通して保持する。湾曲状態に保持している光ファイバ芯線１１に、可視光を入射すると、可視光は外部に出射される。したがって作業者は確認窓３７を介して可視光の出射状態を確認することができる。また複数の光ファイバ芯線１１に、予め定める基準位置から可視光を入射し、基準位置とは異なる作業位置において、複数の光ファイバ芯線１１を順次、湾曲して保持することによって、入射された可視光に対応する光ファイバ芯線１１を作業位置で特定することができる。したがって光ファイバ芯線特定用工具１０は、可視光が入射される光ファイバ芯線１１を、光検出器などの電子部品を用いることなく、簡単な構成で実現することができる。
【００４４】
また本実施の形態では、保持体１３は、通信光が外部に出射されることなく、かつ可視光が外部に出射される曲率半径で湾曲させて、光ファイバ芯線１１を保持する。したがって光ファイバ芯線特定用工具１０を用いて、通信光が入射されている光ファイバ芯線１１を湾曲させても、通信光が外部に出射されないので、通信に障害を与えることがない。したがって複数の光ファイバ芯線１１のうち少なくともいずれか１本に通信光が入射されている場合であっても、通信に障害を与えることなく、順次湾曲させて、可視光が入射されている光ファイバ芯線１１を特定することができる。
【００４５】
また本実施の形態はで、保持体１３は、２つの狭持片１８，１９を有し、この狭持片１８，１９間に光ファイバ芯線１１が狭持可能である。各狭持片１８，１９が、環状の当接領域で相互に当接した状態で、確認窓３７が閉塞されることによって遮光空間が形成される。また一方の第１狭持片１８には、被狭持部位間の中間部位を、各被狭持部位を通る直線からずれた位置に案内する案内片２４が形成される。これによって、被狭持部位間に光ファイバ芯線１１を配置し、各狭持片１８，１９によって光ファイバ芯線１１を狭持することによって、光ファイバ芯線１１を湾曲状態に保持することができる。また他方の第２狭持片１９は、光ファイバ芯線１１の前記被狭持部位間の中間部を臨む確認窓３７が形成されるので、前記案内片２４によって湾曲状態にある光ファイバ芯線１１を確認窓３７から確認するこができる。これによって作業者は、容易な操作で可視光が入射される光ファイバ芯線１１を特定することができる。
【００４６】
また本実施の形態では、遮光筒体１４は、可視光を遮光可能な筒状に形成され、一端部が保持体１３に遮光状態で連結される。このような遮光筒体１４が連結されるので、保持体１３によって形成される遮光空間に、遮光筒体１４の両端部が閉塞されることによって形成される遮光空間を連結し、光ファイバ芯線特定用保持具１０に形成される遮光空間を広げることができる。遮光筒体１４の他端部は、確認窓３７を介して遮光空間を確認可能である。したがって保持体１３が光ファイバ芯線１１を保持する位置から、少なくとも遮光筒体１４の軸線寸法離れている位置で、光ファイバ芯線１１を確認することできる。これによって湾曲状態に保持されている光ファイバ芯線１１に、作業者が容易に焦点を合わすことができる距離を、遮光して確保することができる。したがって利便性を向上することができる。
【００４７】
図１２は、本発明の実施の他の形態の光ファイバ芯線特定用工具５０を示す正面図であり、図１３は、光ファイバ芯線特定用工具５０を示す側面図である。図１４は、光ファイバ芯線特定用工具５０を分解して示す側面図である。図１２および図１４は、理解を容易にするため、遮光体１２を省略して示す。本実施の形態は前述の図１〜図１１の光ファイバ芯線特定用工具１０と類似しており、本実施の形態の構成には光ファイバ芯線特定用工具１０における対応する構成と同一の参照符号を付し、異なる構成についてだけ説明し、同様の構成については説明を省略する。本実施の形態の光ファイバ芯線特定用工具５０は、前述の光ファイバ芯線特定用工具１０に対して、第２狭持片５１の構成および遮光筒体５２の構成が異なる。
【００４８】
図１５は、本実施の形態の第２狭持片５１を拡大して示す断面図であり、図１６は、第２狭持片５１を拡大して示す底面図であり、図１７は、第２狭持片５１を拡大して示す側面図である。本実施の形態の第２狭持片５１は、前述の第２狭持片１９の遮光部３３を除く残余の部分と類似している。第２狭持片５１の当接部５３は、貫通孔３６が形成されている周囲の領域に厚み方向に貫通し、内ねじが刻設される皿ねじ孔５４が形成される。皿ねじ孔５４は、貫通孔３６の周囲の領域に、周方向に４等分する位置に４つ形成される。
【００４９】
図１８は、本実施の形態の遮光筒体５２を構成する第１接続部５５を拡大して示す平面図であり、図１９は、第１接続部５５を拡大して示す底面図である。図２０は、遮光筒体５２を構成する締付部５６を拡大して示す底面図である。図２１は、遮光筒体５２を構成する挿入部６７を拡大して示す底面図である。図２２は、遮光筒体５２を構成する第２接続部５７を拡大して示す平面図であり、図２３は第２接続部５７を拡大して示す底面図である。図２４は、遮光筒体５２を構成する確認部５８を幅方向に平行な平面で切断し、拡大して示す断面図であり、図２５は、確認部５８を幅方向に垂直な平面で切断し、拡大して示す断面図である。図２６は、確認部５８を拡大して示す平面図であり、図２７は、確認部５８を拡大して示す底面図である。遮光筒体５２は、第１接続部５５、締付部５６、挿入部６７、第２接続部５７、第２接続ねじ部材および確認部５８を含んで構成される。
【００５０】
第１接続部５５は、正方形板状の第１接続部本体６０および係合爪６２を含んで形成される。第１接続部本体６０は、厚み方向に貫通する第１透過孔６１が形成される。第１透過孔６１の内径は、当接部５３の厚み方向一端面部における貫通孔３６の内径と等しく形成される。第１接続部本体６０は、厚み方向一端面部に厚み方向中央部に向かって凹となり、内ねじが刻設される第１ねじ孔６３が角部に４つ形成される。また厚み方向他端面部に４つの角部から、厚み方向外方に向かって突出する係合爪６２が形成される。第１接続部５５および第２狭持片５１の当接部５３の軸線が同軸の状態で、第１接続部５５の厚み方向一端面部が、当接部５３の厚み方向一端面部に当接させる。当接した状態で、皿ねじ孔５４に、外ねじが刻設される第１接続ねじ部材６４を厚み方向他方側に挿通し、その第１接続ねじ部材６４を、頭部が当接部５３に係止される状態で第１透過孔６１を利用して、第１接続部５５に螺着し、当接部５３が、第１接続部５５に固定される。
【００５１】
締付部５６は、締付部本体６５およびチャック部材６６を含んで構成される。締付部本体６５は、略円筒状の部材であって、軸線方向一端部はチャック構造が形成される。締付部本体６５の軸線方向一端部は、周方向に複数に分断され、半径方向に変位可能形成され、外ねじが刻設される。チャック部材６６は円筒状であって、締付部５６の外ねじと螺合可能な内ねじが刻設される。チャック部材６６を締付部本体６５に螺着させ、螺進および螺退させて、締付部本体６５に対して軸線方向に変位させることによって、締付部本体６５の軸方向一端部は、半径方向に変位する。締付部５６の軸線方向他端部は、第１接続部５５の係合爪６２に係合され、さらに接着剤を用いて接着され機械的に接続される。
【００５２】
挿入部６７は、円筒状の部材である。挿入部６７の外径は、締付部本体６５の自然状態における内径と外接し、軸線方向に締付部５６に対してずれるような寸法に形成される。挿入部６７の軸線方向一端部を、締付部５６の軸線方向一端部から挿入し、チャック部材６６を用いて、締付部本体６５の軸線方向一端部を半径方向内方に変位させ、締付部本体６５の内周部を、挿入部６７の外周部に当接させる。これによって、挿入部６７の軸線方向における任意の位置で、締付部５６に固定することができ、遮光筒体５２の軸線方向に寸法を任意の値に変化させることができる。したがって操作者が光ファイバ芯線１１を容易に確認できるように、遮光筒体５２の軸線方向寸法を調節することができる。
【００５３】
第２接続部５７は、第２接続部本体６９および第２接続部円筒体７０を含んで構成される。第２接続本体２は、略楕円形板状であって、幅方向中央部に、厚み方向に貫通する第２透過孔７１が形成される。第２透過孔７１の内径は、締付部５６の内径よりも小さく形成される。また第２接続部本体６９は、幅方向両端部に厚み方向に貫通し、内ねじが刻設される第２ねじ孔７４が形成される。第２接続部円筒体７０は、円筒状の部材であって、その内径は、挿入部６７の外径と等しく形成される。第２接続部本体６９および第２接続部円筒体７０の軸線が同軸の状態で、第２接続部円筒体７０の軸線方向一端面部は、第２接続部本体６９の厚み方向一端面部に当接して、一体に形成される。第２接続部円筒体７０および挿入部６７の軸線が同軸の状態で、第２接続部円筒体７０の軸線方向他端面部は、挿入部６７の軸線方向他端面部に接着剤を用いて接着され、機械的に接続される。
【００５４】
確認部５８は、軸線方向一端部が塞がれている略有底筒状であって、軸線方向に垂直な断面形状は略楕円状に形成される。軸線方向他端部である開放端部は、長辺方向に関し、その両端部は、中間部より底面に向かって凹となる凹状に形成される。また開放端部は、短辺方向に関し、その両端部は、中間部より軸線方向外方に向かって凸なる凸状に形成される。これによって開放端部は、操作者の目の周囲の形状にならいやすく形成される。軸線方向一端部である底面部は、その中央部に軸線方向に貫通する確認孔７２が形成される。確認孔７２の内径は、第２接続部本体６９の第２透過孔７１の内径と等しく形成される。また底面部は、その長辺方向両端部であって、軸線方向に開放端側に向かって凹となり、内ねじが刻設される確認部ねじ孔７３が形成される。確認部５８および第２接続部５７の軸線が同軸の状態で、確認部５８の底面部が、第２接続部５７の軸線方向他端面部に当接させる。当接した状態で、第２ねじ孔７４に、外ねじが刻設される第２接続ねじ部材５９を軸線方向他方側に挿通し、その第２接続ねじ部材５９を、頭部が第２接続部５７に係止される状態で確認部ねじ孔７３を利用して、確認部５８に螺着し、第２接続部５７が、確認部５８に固定される。
【００５５】
このような本実施の形態の光ファイバ芯線特定用工具５０によれば、光ファイバ芯線１１を特定することができる。したがって前述の実施の形態の光ファイバ芯線特定用工具１０と同様の効果を達成することができる。
【００５６】
図２８は、本発明の実施のさらに他の形態の光ファイバ芯線特定用工具８０を示す正面図であり、図２９は、光ファイバ芯線特定用工具８０を示す側面図である。図３０は、光ファイバ芯線特定用工具８０を分解して示す正面図である。図３１は、光ファイバ芯線特定用工具８０を分解して示す側面図である。図２８〜図３１は、理解を容易にするため、遮光体１２を省略して示す。本実施の形態は前述の図１〜図２７の光ファイバ芯線特定用工具１０，５０と類似しており、本実施の形態の構成には光ファイバ芯線特定用工具１０，５０における対応する構成と同一の参照符号を付し、異なる構成についてだけ説明し、同様の構成については説明を省略する。本実施の形態の光ファイバ芯線特定用工具８０は、前述の光ファイバ芯線特定用工具５０に対して、遮光筒体８１の構成および第１狭持片８２の構成が異なる。
【００５７】
図３２は本実施の形態の遮光筒体８１を構成する接続部８３を拡大して示す平面図であり、図３３は接続部８３を拡大して示す底面図である。本実施の形態の遮光筒体８１は、前述の遮光筒体５２を構成する第１接続部５５の係合爪６２、締付部５６、挿入部６７および第２接続部５７の第２接続部円筒体７０を除く残余の部分から構成される。遮光筒体８１は、接続部８３および確認部５８を含んで構成される。接続部８３は、接続部本体８４および接続部底体８５を含んで構成される。接続部本体８４は、前述の第２接続部５７を構成する第２接続部本体６９と類似している。接続部底体８５は、前述の第１接続部５５を構成する第１接続部本体６０と類似している。接続部本体８４および接続部底体８５の軸線が同軸の状態で、一体となって形成される。前述の光ファイバ芯線特定用工具５０と同様に、接続部本体８４は確認部５８と、接続部底体８５は第２狭持片５１と機械的に接続され、固定される。これによって遮光筒体８１を構成する部品数を、前述の光ファイバ芯線特定用工具５０に比べて少なくすることができ、軽量化することができる。
【００５８】
図３４は、本実施の形態の第１狭持片８２を構成する案内部８６を拡大して示す平面図である。本実施の形態の案内部８６は、前述の案内部２０に対して形成される案内片８７が異なり、また挿入凹所２７が形成されていない。案内片８７は、案内部８６の幅方向中央部に厚み方向一方に突出する頭頂部８８が形成される。頭頂部８８は、案内部８６の幅方向に平行な平坦面に形成される。案内片８７は、長手方向に延びて形成され、長手方向の断面形状および幅方向の断面形状は、略台形状に形成される。これによって第１狭持片８２と第２狭持片５１とで光ファイバ芯線１１を狭持することによって、光ファイバ芯線１１を湾曲させることができる。また案内片８７の底面部の幅および突出高さを変化させることによって、光ファイバ芯線１１を好適に湾曲させることができる。
【００５９】
このような本実施の形態の光ファイバ芯線特定用工具８０によれば、光ファイバ芯線１１を特定することができる。したがって前述の実施の形態の光ファイバ芯線特定用工具１０，５０と同様の効果を達成することができる。
【００６０】
図３５は、本発明の実施のさらに他の形態の光ファイバ芯線特定用工具９０を構成する第１狭持片９１の当接部９２を示す側面図であり、図３６は、当接部９２を示す平面図である。本実施の形態は前述の図１〜図３４の光ファイバ芯線特定用工具１０，５０，８０と類似しており、本実施の形態の構成には光ファイバ芯線特定用工具１０，５０，８０における対応する構成と同一の参照符号を付し、異なる構成についてだけ説明し、同様の構成については説明を省略する。本実施の形態の光ファイバ芯線特定用工具９０は、前述の光ファイバ芯線特定用工具８０に対して、第１狭持片９１の構成が異なる。
【００６１】
本実施の形態の第１狭持片９１を構成する案内部９３が異なり、具体的には案内部９３に形成される案内片９４が異なる。案内片９４は、案内部９３の幅方向中央部に厚み方向一方に突出する頭頂部４が形成される。頭頂部４は、案内部９３の幅方向に平行な平坦に形成される。案内片９４は、長手方向に延びて形成され、長手方向の断面形状および幅方向の断面形状は、略長方形状に形成される。これによって第１狭持片９１と第２狭持片５１とで光ファイバ芯線１１を狭持することによって、光ファイバ芯線１１を湾曲させることができる。また案内片９４の幅および突出高さを変化させることによって、光ファイバ芯線１１を好適に湾曲させることができる。
【００６２】
このような本実施の形態の光ファイバ芯線特定用工具９０によれば、光ファイバ芯線１１を特定することができる。したがって前述の実施の形態の光ファイバ芯線特定用工具１０，５０，８０と同様の効果を達成することができる。
【００６３】
図３７は、光ファイバ芯線特定用工具を用いて光ファイバ芯線を特定する行程を示すフローチャートである。ステップａ０おいて、光ファイバ芯線１１を特定する行程が開始されると、ステップａ１において、予め定める基準位置から予め定める光ファイバ芯線１１に、たとえばレーザダイオード光源を用いて可視光を入射し、ステップａ２に進む。ステップａ２において、前記基準位置とは異なる位置において、光ファイバ芯線１１を、遮光空間に配置し、ステップａ３に進む。遮光空間に配置することによって、光ファイバ芯線１１の中途部における発光状態を容易に確認することができる。ステップａ３において、光ファイバ芯線１１を、光通信に用いられる通信光が外部に出射することなく、かつ前記可視光が外部に出射する曲率半径で湾曲させ、ステップａ４に進む。前記曲率半径で湾曲させるので、光通信に影響を与えることなく、可視光が入射されている光ファイバ芯線１１を湾曲させ、可視光を外部に出射させることができる。ステップａ４において、作業者が、光ファイバ芯線１１の湾曲している部分を目視確認することによって、可視光が入射されている光ファイバ芯線１１を特定することができ、ステップａ５に進んで特定する作業を終了する。
【００６４】
本実施の形態では、光ファイバ芯線１１は、通信光が外部に出射することなく、かつ基準位置から入射される可視光が外部に出射する曲率半径で、基準位置とは異なる位置において湾曲させる。これによって可視光が入射されている光ファイバ芯線１１を特定する場合に、誤って通信光が入射されている光ファイバ芯線１１を湾曲させても、通信光が外部に出射されないので、通信に障害を与えることがない。また入射される可視光が外部に出射するので、湾曲している光ファイバ芯線１１を遮光空間に配置し、目視確認することによって、可視光が入射されている光ファイバ芯線を、特定することができる。したがって容易に可視光が入射されている光ファイバ芯線１１を特定することができる。
【００６５】
【発明の効果】
以上のように本発明によれば、保持体は、光ファイバ芯線を遮光空間に湾曲状態で挿通して保持する。湾曲状態に保持している光ファイバ芯線に、可視光を入射すると、可視光は外部に出射される。したがって作業者は確認窓を介して可視光の出射状態を確認することができる。また複数の光ファイバ芯線に、予め定める基準位置から可視光を入射し、基準位置とは異なる作業位置において、複数の光ファイバ芯線を順次、湾曲して保持することによって、入射された可視光に対応する光ファイバ芯線を作業位置で特定することができる。したがって光ファイバ芯線特定用工具は、可視光が入射される光ファイバ芯線を、光検出器などの電子部品を用いることなく、簡単な構成で実現することができる。
【００６６】
また本発明によれば、保持体は、通信光が外部に出射されることなく、かつ可視光が外部に出射される曲率半径で湾曲させて、光ファイバ芯線を保持する。したがって光ファイバ芯線特定用工具を用いて、通信光が入射されている光ファイバ芯線を湾曲させても、通信光が外部に出射されないので、通信に障害を与えることがない。したがって複数の光ファイバ芯線のうち少なくともいずれか１本に通信光が入射されている場合であっても、通信に障害を与えることなく、順次湾曲させて、可視光が入射されている光ファイバ芯線を特定することができる。
【００６７】
また本発明によれば、保持体は、２つの狭持片を有し、この狭持片間に光ファイバ芯線が狭持可能である。各狭持片が、環状の当接領域で相互に当接した状態で、確認窓が閉塞されることによって遮光空間が形成される。また一方の狭持片には、被狭持部位間の中間部位を、各被狭持部位を通る直線からずれた位置に案内する案内手段が形成される。これによって、被狭持部位間に光ファイバ芯線を配置し、各狭持片によって光ファイバ芯線を狭持することによって、光ファイバ芯線を湾曲状態に保持することができる。また他方の狭持片は、光ファイバ芯線の前記被狭持部位間の中間部を臨む確認窓が形成されるので、前記案内手段によって湾曲状態にある光ファイバ芯線を確認窓から確認するこができる。これによって作業者は、容易な操作で可視光が入射される光ファイバ芯線を特定することができる。
【００６８】
また本発明によれば、遮光筒体は、可視光を遮光可能な筒状に形成され、一端部が保持体に遮光状態で連結される。このような遮光筒体が連結されるので、保持体によって形成される遮光空間に、遮光筒体の両端部が閉塞されることによって形成される遮光空間を連結し、光ファイバ芯線特定用保持具に形成される遮光空間を広げることができる。遮光筒体の他端部は、確認窓を介して遮光空間を確認可能である。したがって保持体が光ファイバ芯線を保持する位置から、少なくとも遮光筒体の軸線寸法離れている位置で、光ファイバ芯線を確認することできる。これによって湾曲状態に保持されている光ファイバ芯線に、作業者が容易に焦点を合わすことができる距離を、遮光して確保することができる。したがって利便性を向上することができる。
【００６９】
また本発明によれば、光ファイバ芯線は、通信光が外部に出射することなく、かつ基準位置から入射される可視光が外部に出射する曲率半径で、基準位置とは異なる位置において湾曲させる。これによって可視光が入射されている光ファイバ芯線を特定する場合に、誤って通信光が入射されている光ファイバ芯線を湾曲させても、通信光が外部に出射されないので、通信に障害を与えることがない。また入射される可視光が外部に出射するので、湾曲している光ファイバ芯線を遮光空間に配置し、目視確認することによって、可視光が入射されている光ファイバ芯線を、特定することができる。したがって容易に可視光が入射されている光ファイバ芯線を特定することができる。
【図面の簡単な説明】
【図１】本発明の実施の一形態の光ファイバ芯線特定用工具１０に、光ファイバ芯線１１が保持されている状態で示す断面図である。
【図２】光ファイバ芯線特定用工具１０を示す正面図である。
【図３】光ファイバ芯線特定用工具１０を示す側面図である。
【図４】光ファイバ芯線特定用工具１０を分解して示す正面図である。
【図５】光ファイバ芯線特定用工具１０を分解して示す側面図である。
【図６】第１狭持片１８を構成する案内部２０を拡大して示す平面図である。
【図７】案内部２０の一端部をさらに拡大して示す正面図である。
【図８】第１狭持片１８を構成する把持部２１を拡大して示す底面図である。
【図９】遮光筒体１４、第２狭持片１９および遮光体１２を拡大して示す断面図である。
【図１０】遮光筒体１４および第２狭持片１９を拡大して示す平面図である。
【図１１】遮光体１２示す平面図である。
【図１２】本発明の実施の他の形態の光ファイバ芯線特定用工具５０を示す正面図である。
【図１３】光ファイバ芯線特定用工具５０を示す側面図である。
【図１４】光ファイバ芯線特定用工具５０を分解して示す側面図である。
【図１５】第２狭持片５１を拡大して示す断面図である。
【図１６】第２狭持片５１を拡大して示す底面図である。
【図１７】第２狭持片５１を拡大して示す側面図である。
【図１８】遮光筒体５２を構成する第１接続部５５を拡大して示す平面図である。
【図１９】第１接続部５５を拡大して示す底面図である。
【図２０】遮光筒体５２を構成する締付部５６を拡大して示す底面図である。
【図２１】遮光筒体５２を構成する挿入部６７を拡大して示す底面図である。
【図２２】遮光筒体５２を構成する第２接続部５７を拡大して示す平面図である。
【図２３】第２接続部５７を拡大して示す底面図である。
【図２４】遮光筒体５２を構成する確認部５８を幅方向に平行な平面で切断し、拡大して示す断面図である。
【図２５】確認部５８を幅方向に垂直な平面で切断し、拡大して示す断面図である。
【図２６】確認部５８を拡大して示す平面図である。
【図２７】確認部５８を拡大して示す底面図である。
【図２８】本発明の実施のさらに他の形態の光ファイバ芯線特定用工具８０を示す正面図である。
【図２９】光ファイバ芯線特定用工具８０を示す側面図である。
【図３０】光ファイバ芯線特定用工具８０を分解して示す正面図である。
【図３１】光ファイバ芯線特定用工具８０を分解して示す側面図である。
【図３２】遮光筒体８１を構成する接続部８３を拡大して示す平面図である。
【図３３】接続部８３を拡大して示す底面図である。
【図３４】第１狭持片８２を構成する案内部８６を拡大して示す平面図である。
【図３５】本発明の実施のさらに他の形態の光ファイバ芯線特定用工具９０を構成する第１狭持片９１の当接部９２を示す側面図である。
【図３６】当接部９２を示す平面図である。
【図３７】光ファイバ芯線特定用工具を用いて光ファイバ芯線を特定する行程を示すフローチャートである。
【図３８】従来の技術である光ファイバ芯線特定用工具１を示す斜視図である。
【符号の説明】
１０，５０，８０，９０  光ファイバ芯線特定用工具
１１  光ファイバ芯線
１３  保持体
１４  遮光筒体
１８  第１狭持片
１９  第２狭持片
２４  案内片
３７  確認窓
【図１】
2004240296.tif 000008
【図２】
2004240296.tif 000009
【図３】
2004240296.tif 000010
【図４】
2004240296.tif 000011
【図５】
2004240296.tif 000012
【図６】
2004240296.tif 000013
【図７】
2004240296.tif 000014
【図８】
2004240296.tif 000015
【図９】
2004240296.tif 000016
【図１０】
2004240296.tif 000017
【図１１】
2004240296.tif 000018
【図１２】
2004240296.tif 000019
【図１３】
2004240296.tif 000020
【図１４】
2004240296.tif 000021
【図１５】
2004240296.tif 000022
【図１６】
2004240296.tif 000023
【図１７】
2004240296.tif 000024
【図１８】
2004240296.tif 000025
【図１９】
2004240296.tif 000026
【図２０】
2004240296.tif 000027
【図２１】
2004240296.tif 000028
【図２２】
2004240296.tif 000029
【図２３】
2004240296.tif 000030
【図２４】
2004240296.tif 000031
【図２５】
2004240296.tif 000032
【図２６】
2004240296.tif 000033
【図２７】
2004240296.tif 000034
【図２８】
2004240296.tif 000035
【図２９】
2004240296.tif 000036
【図３０】
2004240296.tif 000037
【図３１】
2004240296.tif 000038
【図３２】
2004240296.tif 000039
【図３３】
2004240296.tif 000040
【図３４】
2004240296.tif 000041
【図３５】
2004240296.tif 000042
【図３６】
2004240296.tif 000043
【図３７】
2004240296.tif 000044
【図３８】
2004240296.tif 000045